(57)【要約】【課題】フェンスの胴縁に防音や目隠し等を目的とした板状パネルを、ガタツキなく取り付けることができるフェンス用パネル取付金具を提供する。【解決手段】フェンスの胴縁に板状のパネルを取り付けるためのフェンス用パネル取付金具において、板材を円環状に折り曲げて形成された金具本体１と、金具本体１に形成された、パネルにボルト止めされる、ボルト孔２Ａが形成されたパネル固定部２と、パネル固定部２と相対する金具本体１の部分に形成された、前記パネルの端部が挿入されるスリット３とからなり、前記パネルを固定した後の金具本体１の外径寸法は、前記胴縁の内幅寸法より大きい。【選択図】図２
2010261244.tif 000002
【特許請求の範囲】
【請求項１】
フェンスの胴縁に板状のパネルを取り付けるためのフェンス用パネル取付金具において、
板材を円環状に折り曲げて形成された金具本体と、前記金具本体に形成された、パネルにボルト止めされるパネル固定部と、前記パネル固定部と相対する前記金具本体の部分に形成された、前記パネルの端部が挿入されるスリットとからなり、前記パネルを固定した後の前記金具本体の外径寸法は、前記胴縁の内幅寸法より大きいことを特徴とするフェンス用パネル取付金具。
【請求項２】
前記金具本体の一部は、前記胴縁のコーナー部と干渉しないように切り欠かれていることを特徴とする、請求項１に記載のフェンス用パネル取付金具。
【発明の詳細な説明】
【技術分野】
【０００１】
この発明は、フェンス用パネル取付金具、特に、フェンスの胴縁に防音や目隠し等を目的とした板状のパネルをガタツキなく取り付けることができるフェンス用パネル取付金具に関するものである。
【背景技術】
【０００２】
防音と目隠し効果を兼ねた防音目隠しフェンスは、図５に示すように、上、下の胴縁１３間に取り付けられた鉄板等からなるパネル１２を、柱１１間に継手金具１４を介して固定したものからなっている。
【０００３】
従来、上記のような防音目隠しフェンスにおいて、パネル１２は、パネル取付金具を介して上、下の胴縁１３に取り付けられていた。従来パネル取付金具の一例を、図面を参照しながら説明する。
【０００４】
図６は、従来パネル取付金具を示す斜視図、図７は、従来パネル取付金具による胴縁へのパネルの取付状態を示す側面図である。
【０００５】
図６および図７に示すように、従来パネル取付金具１５は、鋼板等の板材をＴ字形に折り曲げて頭部１５Ａと足部１５Ｂとを形成したものからなっている。胴縁１３は、鋼板をコ字形に折り曲げ、コ字形に折り曲げた鋼板の両端部を内側にＶ字状に折り曲げ、長手方向に沿ってスリット（Ｓ）を形成したものからなっている。スリット（Ｓ）の幅寸法は、パネル１２の板厚以上、従来パネル取付金具１５の頭部１５Ａの幅寸法以下になっている。従来パネル取付金具１５の頭部１５Ａは、胴縁１３の内面形状と合致する形状を有し、足部１５Ｂには、パネル１２を固定するボルト１６のボルト孔１７が形成されている。
【０００６】
このように構成されている従来パネル取付金具１５を用いて、パネル１２を胴縁１３に取り付けるには、以下のようにする。
【０００７】
図７に示すように、パネル１２の端部を従来パネル取付金具１５の足部１５Ｂ間に挟み込み、ボルト１６により固定する。そして、従来パネル取付金具１５が固定されたパネル１２の端部を胴縁１３の一端側から胴縁１３内に挿入する。従来パネル取付金具１５の頭部１５Ａの幅寸法は、胴縁１３のスリット（Ｓ）の幅寸法より広いので、パネル１２は、胴縁１３から抜け出ることはない。このようにして、パネル１２は、胴縁１３に取り付けられる。
【発明の概要】
【発明が解決しようとする課題】
【０００８】
上述した従来パネル取付金具１５によれば、従来パネル取付金具１５が固定されたパネル１２の端部を、上、下の胴縁１３内に挿入することによって、パネル１２を胴縁１３に取り付けることができるが、以下のような問題があった。
【０００９】
従来パネル取付金具１５の頭部１５Ａの形状は、上述のように、胴縁１３の内面形状と合致させてあるが、頭部１５Ａを胴縁１３内に挿入する関係上、頭部１５Ａと胴縁１３の内面との間に若干の隙間があく。頭部１５Ａと胴縁１３の内面との間に隙間があると、風等によってパネル１２にガタツキが生じ、騒音の原因となる。
【００１０】
従って、この発明の目的は、フェンスの胴縁に防音や目隠し等を目的とした板状パネルを、ガタツキなく取り付けることができるフェンス用パネル取付金具を提供することにある。
【課題を解決するための手段】
【００１１】
この発明は、上記目的を達成するためになされたものであり、下記を特徴とするものである。
【００１２】
請求項１に記載の発明は、フェンスの胴縁に板状のパネルを取り付けるためのフェンス用パネル取付金具において、板材を円環状に折り曲げて形成された金具本体と、前記金具本体に形成された、パネルにボルト止めされるパネル固定部と、前記パネル固定部と相対する前記金具本体の部分に形成された、前記パネルの端部が挿入されるスリットとからなり、前記パネルを固定した後の前記金具本体の外径寸法は、前記胴縁の内幅寸法より大きいことに特徴を有するものである。
【００１３】
請求項２に記載の発明は、請求項１に記載のフェンス用パネル取付金具において、前記金具本体の一部は、前記胴縁のコーナー部と干渉しないように切り欠かれていることに特徴を有するものである。
【発明の効果】
【００１４】
この発明によれば、金具本体の弾性力により胴縁の内面との間に隙間が形成されることがないので、パネルのガタツキを確実に防止することができ、しかも、金具本体は、パネルの振動エネルギーを吸収するので、パネルの振動は、胴縁に伝達しにくいので、優れた防音効果が得られる。
【図面の簡単な説明】
【００１５】
【図１】この発明のパネル取付金具を示す正面図である。
【図２】この発明のパネル取付金具を示す斜視図である。
【図３】この発明のパネル取付金具によるパネルの胴縁への取付状態を示す部分切り欠き斜視図である。
【図４】この発明のパネル取付金具によるパネルの胴縁への取付状態を示す一部省略断面図である。
【図５】防音目隠しフェンスを示す正面図である。
【図６】従来パネル取付金具を示す斜視図である。
【図７】従来パネル取付金具による胴縁へのパネルの取付状態を示す側面図である。
【発明を実施するための形態】
【００１６】
この発明のパネル取付金具の一実施態様を、図面を参照しながら説明する。
【００１７】
図１は、この発明のパネル取付金具を示す正面図、図２は、この発明のパネル取付金具を示す斜視図、図３は、この発明のパネル取付金具によるパネルの胴縁への取付状態を示す部分切り欠き斜視図、図４は、この発明のパネル取付金具によるパネルの胴縁への取付状態を示す一部省略断面図である。
【００１８】
図１および図２に示すように、この発明のパネル取付金具は、鉄板等からなる板材を円環状に折り曲げて形成された金具本体１と、金具本体１に形成されたパネル固定部２と、パネル固定部２と相対する金具本体１の部分に形成された、パネル４の端部が挿入されるスリット３とからなっている。
【００１９】
金具本体１は、鉄板等からなっているので、径方向に対して変形可能で、この変形は、弾性力により元の状態に復帰可能である。また、金具本体１の一部は、図１に示すように、切り欠かれているので、パネル取付金具を胴縁５内に挿入するに際して、金具本体１が胴縁５のコーナー部と干渉する恐れはない。
【００２０】
パネル固定部２は、前記板材をこの端部が互いに重なり合うように折り曲げることにより形成され、後述するボルトのボルト孔２Ａが形成されている。パネル４を固定した後の金具本体１の外径寸法は、胴縁５の内幅寸法（Ｌ）（図４参照）より大きい。
【００２１】
パネル４は、例えば、樹脂板の両面にアルミニウム板を貼り付けたものからなっている。胴縁５は、鋼板等をコ字形に折り曲げ、コ字形に折り曲げた鋼板の両端部を内側にＶ字状に折り曲げ、長手方向に沿ってスリット（Ｓ）を形成したものからなっている。スリット（Ｓ）の幅寸法は、パネル４の板厚以上、金具本体１の外径寸法以下になっている。
【００２２】
このように構成されている、この発明のパネル取付金具によれば、以下のようにして、パネルを胴縁に取り付けることができる。
【００２３】
図３および図４に示すように、パネル４の端部を、金具本体１のパネル固定部２間に挟み込むと共に、スリット（Ｓ）内に挿入し、ボルト６を一方のパネル固定部２のボルト孔２Ａからパネル４を通して他方のパネル固定部２のボルト孔２Ａ内に挿通してナット（図示せず）により固定する。なお、ボルト６をタッピングねじとしても良い。
【００２４】
このようにして、複数個のパネル取付金具をパネル４の上下端部に固定したら、パネル４の端部を胴縁５の一端側から胴縁５内に挿入する。金具本体１の外径寸法は、胴縁５のスリット（Ｓ）の幅寸法より広いので、パネル４は、胴縁５から抜け出ることはない。
【００２５】
しかも、パネル４を固定した後の金具本体１の外径寸法は、胴縁５の内幅寸法（Ｌ）より大きくなっているので、パネル取付金具は、金具本体１の弾性力に抗して胴縁４内に挿入される。この結果、パネル取付金具と胴縁５の内面との間には、隙間が形成されない。従って、風等によりパネル４にガタツキが生じる恐れはない。
【００２６】
さらに、風等によるパネル４の振動エネルギーは、金具本体１の弾性力によって吸収され、胴縁４に伝達されにくいので、騒音の発生を防止することができる。
【００２７】
このようにして、パネル４は、胴縁５に取り付けられる。なお、パネル４は、防音や目隠し等を目的とした板材以外に、パンチングメタル等の板材であっても良い。
【００２８】
以上のように、この発明によれば、金具本体１の弾性力により胴縁５の内面との間に隙間が形成されることがないので、パネル４のガタツキを確実に防止することができる。しかも、金具本体１は、パネル４の振動エネルギーを吸収するので、パネル４の振動は、胴縁５に伝達しにくいので、優れた防音効果が得られる。
【符号の説明】
【００２９】
１：金具本体
２：パネル固定部
２Ａ：ボルト孔
３：スリット
４：パネル
５：胴縁
６：ボルト
１１：支柱
１２：パネル
１３：胴縁
１４：継手金具
１５：従来パネル取付金具
１５Ａ：頭部
１５Ｂ：足部
１６：ボルト
１７：ボルト孔
【図１】
2010261244.tif 000003
【図２】
2010261244.tif 000004
【図３】
2010261244.tif 000005
【図４】
2010261244.tif 000006
【図５】
2010261244.tif 000007
【図６】
2010261244.tif 000008
【図７】
2010261244.tif 000009